(57)【要約】【課題】屋根材の取付の施工性の向上と自由度の向上を図れるようにした屋外設置型保冷庫における屋根支持構造を提供すること。【解決手段】一対の表面板間に断熱材を介在してなる天井パネルと断熱性を有する壁パネル及び床パネルとによって構成される庫体と、天井パネルの上部に屋根架台を介して載置される屋根材とを具備する屋外設置型保冷庫において、屋根架台４０Ａは、中空矩形状の本体４１Ａと、該本体の下部両側から外方に延在するフランジ部４２，４３と、本体の上端部に形成される狭隘開口状のナット収容部４５とを有し、屋根架台の一方のフランジ部４２に係合して天井パネルの上面に配置される固定部材５０と、天井パネルの断熱材１３に埋設される補強部材６０Ａとを固定ボルト７０で連結し、屋根材３０を固定するフレーム３１を貫通する屋根固定用ボルト８０をナット収容部に収容されたナット８１に螺合して屋根材を固定する。【選択図】    図５
2019002629.tif 000002
【特許請求の範囲】
【請求項１】
一対の表面板間に断熱材を介在してなる天井パネルと断熱性を有する壁パネル及び床パネルとによって構成される庫体と、上記天井パネルの上部に屋根架台を介して載置される屋根材とを具備する屋外設置型保冷庫において、
上記屋根架台は、中空矩形状の本体と、該本体の下部両側から外方に延在するフランジ部と、上記本体の上端部に形成される狭隘開口状のナット収容部とを有するアルミニウム製形材にて形成され、
上記屋根架台の一方のフランジ部に係合して上記天井パネルの上面に配置される固定部材と、上記天井パネルの断熱材に埋設されて上記表面板の裏面に接触する補強部材とを固定ボルトで連結し、
上記屋根材を固定する取付部材を貫通する屋根固定用ボルトを上記ナット収容部に収容されたナットに螺合して上記屋根材を固定してなる、
ことを特徴とする屋外設置型保冷庫における屋根支持構造。
【請求項２】
請求項１に記載の屋外設置型保冷庫における屋根支持構造において、
上記屋根架台の一方のフランジ部は、該フランジ部の先端から起立する係止片を有し、上記固定部材は、上記係止片に係合可能な断面略逆Ｕ字状の係止部を有する、ことを特徴とする屋外設置型保冷庫における屋根支持構造。
【請求項３】
請求項１又は２に記載の屋外設置型保冷庫における屋根支持構造において、
上記屋根架台の他方のフランジ部と上記天井パネルの断熱材に埋設されて上記表面板の裏面に接触する板状の補強部材とを固定ねじで連結してなる、ことを特徴とする屋外設置型保冷庫における屋根支持構造。
【請求項４】
請求項１に記載の屋外設置型保冷庫における屋根支持構造において、
上記ナット収容部の対向する両側面にナット落下防止用の一対の係止凸条を突設してなる、ことを特徴とする屋外設置型保冷庫における屋根支持構造。
【請求項５】
請求項１ないし４のいずれかに記載の屋外設置型保冷庫における屋根支持構造において、
上記屋根架台は、上記天井パネルの対向する両側に配置され、一方の屋根架台は他方の屋根架台に対して高さが異なることで、上記屋根材に勾配を設けるようにした、ことを特徴とする屋外設置型保冷庫における屋根支持構造。
【発明の詳細な説明】
【技術分野】
【０００１】
この発明は、例えば、プレハブ式の冷蔵庫、冷凍庫や貯蔵庫等の屋外設置型保冷庫における屋根支持構造に関するものである。
【背景技術】
【０００２】
従来、周囲が断熱パネルで囲まれたプレハブ式の冷蔵庫、冷凍庫や貯蔵庫等の屋外設置型保冷庫においては、庫内を風雨等から保護するために屋根を設ける必要がある。
【０００３】
また、プレハブ式の冷蔵庫、冷凍庫や貯蔵庫として、それぞれ一対の表面板間に断熱材を介在した壁パネル、床パネル及び天井パネルによって構成される庫体が広く利用されている。
【０００４】
従来のこの種の屋外設置型冷蔵庫として、側壁パネル、床パネル及び屋根兼天井パネルとを具備し、屋根兼天井パネルは、側壁パネルの上端縁に嵌合するパネル受枠を介してボルトにて固着される構造のものが知られている（例えば、特許文献１参照）。
【０００５】
特許文献１に記載の冷蔵庫においては、前方部と後方部で上記パネル受枠に設けられた角溝内に介在されるライナーの枚数調節によって屋根兼天井パネルに勾配が設けられている。
【先行技術文献】
【特許文献】
【０００６】
【特許文献１】特開平８−２３３４５０号公報（図５〜図８）
【発明の概要】
【発明が解決しようとする課題】
【０００７】
しかしながら、特許文献１に記載の構造においては、屋根兼天井パネルは、側壁パネルにボルトにて固着されるため、固定位置が側壁パネルに限定されるため、施工性が悪いとう懸念がある。
【０００８】
また、特許文献１に記載の構造においては、前方部と後方部でパネル受枠に設けられた角溝内に介在されるライナーの枚数調節によって屋根兼天井パネルに勾配が設けられているが、ライナーの枚数調節が面倒で施工性が悪い上、屋根に勾配を付ける場合の自由度が低い等の懸念がある。
【０００９】
この発明は、上記事情に鑑みてなされたもので、屋根材の取付の施工性の向上と自由度の向上を図れるようにした屋外設置型保冷庫における屋根支持構造を提供することを課題とする。
【課題を解決するための手段】
【００１０】
上記課題を解決するために、この発明は、一対の表面板間に断熱材を介在してなる天井パネルと断熱性を有する壁パネル及び床パネルとによって構成される庫体と、上記天井パネルの上部に屋根架台を介して載置される屋根材とを具備する屋外設置型保冷庫において、  上記屋根架台は、中空矩形状の本体と、該本体の下部両側から外方に延在するフランジ部と、上記本体の上端部に形成される狭隘開口状のナット収容部とを有するアルミニウム製形材にて形成され、  上記屋根架台の一方のフランジ部に係合して上記天井パネルの上面に配置される固定部材と、上記天井パネルの断熱材に埋設されて上記表面板の裏面に接触する補強部材とを固定ボルトで連結し、  上記屋根材を固定する取付部材を貫通する屋根固定用ボルトを上記ナット収容部に収容されたナットに螺合して上記屋根材を固定してなる、ことを特徴とする（請求項１）。
この場合、上記屋根架台の一方のフランジ部は、該フランジ部の先端から起立する係止片を有し、上記固定部材は、上記係止片に係合可能な断面略逆Ｕ字状の係止部を有するのが好ましい（請求項２）。
【００１１】
このように構成することにより、屋根架台を天井パネルの任意の位置に配置して、屋根架台に係合する固定部材と天井パネルに埋設された補強部材とを固定ボルトで連結して固定することができ、屋根材を貫通する屋根固定用ボルトをナット収容部に収容されたナットに螺合して屋根材を固定することができる。
【００１２】
この発明において、上記屋根架台の他方のフランジ部と上記天井パネルの断熱材に埋設されて上記表面板の裏面に接触する板状の補強部材とを固定ねじで連結するのが好ましい（請求項３）。
【００１３】
このように構成することにより、屋根架台の他方のフランジ部と天井パネルの断熱材に埋設された板状の補強部材とを固定ねじで連結して固定することができ、屋根架台の固定を更に強固にすることができる。
【００１４】
また、この発明において、上記ナット収容部の対向する両側面にナット落下防止用の一対の係止凸条を突設するのが好ましい（請求項４）。
【００１５】
このように構成することにより、ナット収容部内に収容されたナットが係止凸条に係止されるので、ナット収容部内に収容されるナットが不用意に落下するのを防止することができる。
【００１６】
加えて、この発明において、上記屋根架台は、上記天井パネルの対向する両側に配置され、一方の屋根架台は他方の屋根架台に対して高さが異なることで、上記屋根材に勾配を設けるようにするのが好ましい（請求項５）。
【００１７】
このように構成することにより、屋根材に勾配をもたせることができると共に、両屋根架台の配置位置を変えることにより勾配を変えることができる。
【発明の効果】
【００１８】
この発明によれば、上記のように構成されているので、以下のような顕著な効果が得られる。
【００１９】
（１）請求項１，２に記載の発明によれば、屋根架台を天井パネルの任意の位置に配置して、屋根材を固定することができるので、施工性の向上が図れる。
【００２０】
（２）請求項３に記載の発明によれば、屋根架台を更に強固に固定することができるので、上記（１）に加えて、更に屋根材の固定を強固にすることができる。
【００２１】
（３）請求項４に記載の発明によれば、ナット収容部内に収容されるナットが不用意に落下するのを防止することができるので、上記（１）に加えて、更に施工性の向上が図れる。
【００２２】
（４）請求項５に記載の発明によれば、屋根材に勾配をもたせることができると共に、両屋根架台の配置位置を変えることにより勾配を変えることができるので、上記（１）〜（３）に加えて、更に屋根材に容易に勾配をもたせることができ、勾配の自由度の向上が図れる。
【図面の簡単な説明】
【００２３】
【図１】この発明に係る屋外設置型保冷庫の一例の冷蔵庫を示す正面図である。
【図２】上記冷蔵庫を示す側面図である。
【図３】上記冷蔵庫の要部を示す側面断面図である。
【図４】図１のＩ−Ｉ線に沿う要部拡大断面図である。
【図５】この発明に係る支持構造を示す断面図である。
【図５Ａ】図５のII−II線に沿う断面図（ａ）及び（ａ）のIII部拡大断面図（ｂ）である。
【図６】この発明に係る別の支持構造を示す断面図である。
【図７】図５のIV−IV線に沿う断面図である。
【図８】この発明における第１の屋根架台を示す斜視図である。
【図９】この発明における第２の屋根架台を示す斜視図である。
【図１０】この発明における固定部材と固定ボルトを示す一部断面斜視図である。
【発明を実施するための形態】
【００２４】
以下に、この発明を実施するための形態について、添付図面に基づいて詳細に説明する。ここでは、この発明に係る屋根支持構造をプレハブ式の冷蔵庫に適用した場合について説明する。
【００２５】
上記冷蔵庫１は、それぞれ断熱性を有する壁パネル１０Ａ、床パネル１０Ｂ及び天井パネル１０Ｃによって構成される庫体１Ａと、天井パネル１０Ｃの上部の対向する両側すなわち正面側と背面側に配置される第１及び第２の屋根架台４０Ａ，４０Ｂを介して載置される波板状の屋根材３０とを具備する。この場合、屋根材３０は、上端と下端が平坦な台形波形状に形成されている。また、庫体１Ａの一側面に設けられた開口部４を開閉する扉体２０を具備している。
【００２６】
この場合、第１の屋根架台４０Ａは、第２の屋根架台４０Ｂより高い寸法になっており、冷蔵庫１の正面側に配置され、第２の屋根架台４０Ｂは冷蔵庫１の背面側に配置されている。したがって、屋根材３０は正面側から背面側に向かって下り勾配がつけられている。
【００２７】
また、冷蔵庫１は、コンクリート製の土台２の上に合成樹脂製の据付台２ａを介して載置され、左右両側の壁パネル１０Ａの下端部の前後２箇所がブラケット３を介して土台２に固定されている。この場合、ブラケット３は、側面視Ｌ字状の本体３ａの両側縁に三角状の補強リブ３ｂを有しており、本体３ａの下部水平部がアンカーボルト３ｃによって土台２に固定され、本体３ａの垂直部が固定ボルト３ｄとナット３ｅによって壁パネル１０Ａに固定される。
なお、床パネル１０Ｂには排水口５が設けられており、この排水口５に排水パイプ６が接続されている。
【００２８】
上記壁パネル１０Ａ、床パネル１０Ｂ及び天井パネル１０Ｃは、パネルを構成する枠材の形状は異なるが、それ以外は同様な断熱パネルにて構成されているので、以下に、天井パネル１０Ｃを代表して説明する。
【００２９】
天井パネル１０Ｃは、一対のアルミニウム合金製の表面板１１と、これら表面板１１の辺部間に介在される合成樹脂製の枠材１２と、両表面板１１及び枠材１２にて形成される空間内に充填される例えば発泡ポリウレタン等の発泡性の断熱材１３とで主に構成されている。
【００３０】
また、扉体２０は、一対のアルミニウム合金製の表面板２１と、これら表面板２１の辺部間に介在される合成樹脂製の枠材２２と、両表面板２１及び枠材２２にて形成される空間内に充填される例えば発泡ポリウレタン等の発泡性の断熱材２３とで主に構成されている（図４参照）。
【００３１】
上記第１の屋根架台４０Ａは、中空矩形状の本体４１Ａと、該本体４１Ａの下部両側から外方に延在する第１，第２のフランジ部４２，４３と、本体４１Ａの上端部に形成される狭隘開口状のナット収容部４５とを有するアルミニウム（アルミニウム合金を含む）製の押出形材にて形成されている。
【００３２】
この場合、ナット収容部４５の対向する両側面に、ナット落下防止用の一対の係止凸条４６が突設されている。また、第１の屋根架台４０Ａの一方の第１のフランジ部４２には、第１のフランジ部４２の先端から起立する係止片４４が設けられている。この係止片４４に後述する固定部材５０が係合可能になっている。
【００３３】
上記第２の屋根架台４０Ｂは、第１の屋根架台４０Ａの中空矩形状の本体４１Ａより低い中空矩形状の本体４１Ｂを有する以外は、第１の屋根架台４０Ａと同様に形成されている。すなわち、本体４１Ｂの下部両側から外方に延在する第１，第２のフランジ部４２，４３と、本体４１Ｂの上端部に形成される狭隘開口状のナット収容部４５とを有するアルミニウム（アルミニウム合金を含む）製の押出形材にて形成されている。
【００３４】
第２の屋根架台４０Ｂにおいても、第１の屋根架台４０Ａと同様に、ナット収容部４５の対向する両側面に、ナット落下防止用の一対の係止凸条４６が突設されている。また、第２の屋根架台４０Ｂの一方の第１のフランジ部４２には、第１のフランジ部４２の先端から起立する係止片４４が設けられている。この係止片４４に後述する固定部材５０が係合可能になっている。
【００３５】
なお、第１及び第２の屋根架台４０Ａ，４０Ｂの本体４１Ａ，４１Ｂの対角線上の角部にはビスポケット４７が設けられており、本体４１Ａ，４１Ｂの長手方向の開口端を塞ぐ塞ぎ板４８Ａ，４８Ｂに設けられた貫通孔４９ａを貫通する固定ビス４９ｂをビスポケット４７に螺合することによって本体４１Ａ，４１Ｂの開口端が塞ぎ板４８Ａ，４８Ｂによって塞がれている。
【００３６】
上記係止片４４に係合して天井パネル１０Ｃの上面に配置される固定部材５０と、天井パネル１０Ｃの断熱材１３に埋設された補強部材６０Ａとを固定ボルト７０で連結することで、第１及び第２の屋根架台４０Ａ，４０Ｂが天井パネル１０Ｃに固定される。
【００３７】
この場合、固定部材５０は、図１０に示すように、矩形板状の基部５１の対向する一端に、断面略逆Ｕ字状の係止部５２を有し、他端に起立壁部５３を有する。断面略逆Ｕ字状の係止部５２は、第１及び第２の屋根架台４０Ａ，４０Ｂの第１のフランジ部４２に設けられた係止片４４に係合可能になっている。
また、基部５１の中央部には、係止部５２側と起立壁部５３側に延びる長孔５４が設けられており、この長孔５４を含む基部５１の上面には長孔５４と直交する方向に凹凸細条５５が形成されている。
なお、固定部材５０は、例えばアルミニウム合金製の押出形材を所定の長さに切断して作製したピース状に形成されている。
【００３８】
上記補強部材６０Ａは、例えば、鋼板をプレス加工したもので、天井パネル１０Ｃの表面板１１の裏面に接触する上部水平片６１と、上部水平片６１の一端から直交状に屈曲する垂直片６２と、垂直片６２の下端から上部水平片６１と反対側に直交状に屈曲する下部水平片６３からなる断面クランク状に形成されている。なお、上部水平片６１にはバーリング加工によって形成されたねじ受け孔（図示せず）が設けられている。このねじ受け孔に固定ボルト７０が螺合されるようになっている。
【００３９】
屋根架台４０Ａ，４０Ｂの他方の第２のフランジ部４３は、固定ねじ７０Ａによって、天井パネル１０Ｃの断熱材１３に埋設された板状補強部材６０Ｂに連結される。この場合、板状補強部材６０Ｂは表面板１１の裏面に接触している。
【００４０】
屋根材３０の取付は、屋根材３０を固定する取付部材であるフレーム３１を貫通する屋根固定用ボルト８０を、屋根架台４０Ａ，４０Ｂに設けられたナット収容部４５に予め収容されたナット８１に螺合して屋根材３０を固定する。
【００４１】
本実施形態では、フレーム３１は、図５Ａに示すように、屋根材３０の断面と略相似形の台形波形状に形成されており、屋根材３０の山部３０ａの下面に当接する山部３１ａと、屋根材３０の谷部３０ｂの下面との間に隙間ｓをおいて屋根架台４０Ａ（４０Ｂ）の上面に当接する谷部３１ｂとを有する。
フレーム３１の山部３１ａには上方に突出する固定ボルト３２が取り付けられており、屋根材３０の山部３０ａに設けられた取付孔（図示せず）を貫通する固定ボルト３２にナット３３を螺合して屋根材３０が固定される。
また、フレーム３１の谷部３１ｂには取付孔３１ｃが設けられており、この取付孔３１ｃを貫通する屋根固定用ボルト８０を、屋根架台４０Ａ（４０Ｂ）に設けられたナット収容部４５に予め収容されたナット８１に螺合して屋根材３０を固定する。
なお、屋根架台４０Ｂとフレーム３１の固定は屋根架台４０Ａと同様であるので、図５Ａにおいて、屋根架台４０Ａ（４０Ｂ）と表示してある。
【００４２】
なお、屋根固定用ボルト８０を螺合する際、ナット収容部４５に収容されるナット８１は係止凸条４６によって落下が防止されているので、屋根材３０の取付前にナット８１が紛失する心配がない。
【００４３】
屋根材３０を取り付ける場合は、まず、第１の屋根架台４０Ａを天井パネル１０Ｃの冷蔵庫１正面側に固定し、第２の屋根架台４０Ｂを冷蔵庫１の背面側に固定する。
【００４４】
第１の屋根架台４０Ａを固定する場合は、天井パネル１０Ｃの正面側の適宜位置に第１の屋根架台４０Ａを配置し、第１の屋根架台４０Ａの第１のフランジ部４２の係止片４４に係止部５２を係合して天井パネル１０Ｃの上面に固定部材５０を配置した状態で、固定部材５０と、天井パネル１０Ｃの断熱材１３に埋設された補強部材６０Ａとを固定ボルト７０で連結する。
また、第２のフランジ部４３を固定ねじ７０Ａによって天井パネル１０Ｃの断熱材１３に埋設された板状補強部材６０Ｂに連結する。
上記固定ボルト７０による固定と固定ねじ７０Ａによる固定は、天井パネル１０Ｃの左右両端部で行われる。
【００４５】
第２の屋根架台４０Ｂを固定する場合は、天井パネル１０Ｃの背面側の適宜位置に第２の屋根架台４０Ｂを配置し、第２の屋根架台４０Ｂの第１のフランジ部４２の係止片４４に係止部５２を係合して天井パネル１０Ｃの上面に固定部材５０を配置した状態で、固定部材５０と、天井パネル１０Ｃの断熱材１３に埋設された補強部材６０Ａとを固定ボルト７０で連結する。
また、第２のフランジ部４３を固定ねじ７０Ａによって天井パネル１０Ｃの断熱材１３に埋設された板状補強部材６０Ｂに連結する。
第１の屋根架台４０Ａの場合と同様に、上記固定ボルト７０による固定と固定ねじ７０Ａによる固定は、天井パネル１０Ｃの左右両端部で行われる。
【００４６】
上記のようにして天井パネル１０Ｃの上部に第１の屋根架台４０Ａと第２の屋根架台４０Ｂを固定した後、第１の屋根架台４０Ａと第２の屋根架台４０Ｂにフレーム３１を載置し、フレーム３１の谷部３１ｂに設けられた取付孔３１ｃを貫通する屋根固定用ボルト８０を第１及び第２の屋根架台４０Ａ，４０Ｂの長手方向の両端側のナット収容部４５に収容されたナット８１に螺合してフレーム３１を固定する。
【００４７】
上記のようにして、第１及び第２の屋根架台４０Ａ，４０Ｂ上にフレーム３１を固定した後、フレーム３１の山部３１ａに取り付けられた固定ボルト３２が屋根材３０の山部３０ａに設けられた取付孔（図示せず）を貫通するようにして屋根材３０を載置して、固定ボルト３２にナット３３を螺合して、屋根材３０の取付が完了する。
【００４８】
なお、上記のようにして屋根材３０が取り付けられた冷蔵庫１において、第１及び第２の屋根架台４０Ａ，４０Ｂの長手方向の端部が外部に露出するのを目隠しするために、天井パネル１０Ｃの左右両側に化粧材７を配置するのがよい（図２参照）。この場合、化粧材７はアルミニウム合金製の矩形板状に形成されている。この化粧材７は、波板状の屋根材３０の山部内に配置することで、傾斜する屋根材３０と干渉することなく、第１及び第２の屋根架台４０Ａ，４０Ｂの長手方向の端部を外部から目隠しすることができる。
【００４９】
上記実施形態によれば、第１及び第２の屋根架台４０Ａ，４０Ｂを天井パネル１０Ｃの任意の位置に配置し、屋根架台４０Ａ，４０Ｂに載置される屋根材３０を固定するフレーム３１を貫通する屋根固定用ボルト８０をナット収容部４５に収容されたナット８１に螺合して屋根材３０を固定することができるので、施工性の向上が図れる。
【００５０】
また、高さの異なる第１及び第２の屋根架台４０Ａ，４０Ｂを天井パネル１０Ｃの任意の位置に配置して、屋根材３０に容易に勾配をもたせることができるので、勾配の自由度の向上が図れる。
【００５１】
また、上記実施形態によれば、第１及び第２の屋根架台４０Ａ，４０Ｂに係合する固定部材５０と天井パネル１０Ｃの断熱材１３に埋設された補強部材６０Ａとを固定ボルト７０で連結して固定すると共に、第１及び第２の屋根架台４０Ａ，４０Ｂの第２のフランジ部４３と天井パネル１０Ｃの断熱材１３に埋設された板状補強部材６０Ｂとを固定ねじ７０Ａで連結して固定することができる。したがって、一対の表面板１１間に発泡性の断熱材１３を介在した天井パネル１０Ｃにおいても第１及び第２の屋根架台４０Ａ，４０Ｂの固定を強固にすることができる。
【００５２】
なお、上記実施形態では、屋根材３０が台形波形状に形成される場合について説明したが、屋根材３０は必ずしも台形波形状ある必要はなく、その他の波形状あるいは平板状のものでもよい。
【００５３】
また、上記実施形態では、この発明に係る屋根支持構造をプレハブ式冷蔵庫に適用した場合について説明したが、この発明に係る屋根支持構造は、冷蔵庫以外の冷凍庫、貯蔵庫等の屋外設置型保冷庫にも適用できるものである。
【００５４】
また、上記実施形態では、壁パネル１０Ａ及び床パネル１０Ｂも天井パネル１０Ｃと同様の断熱構造を有する場合について説明したが、壁パネル１０Ａ及び床パネル１０Ｂが別の断熱性を有する部材でもこの発明の屋根支持構造を適用することができる。
【符号の説明】
【００５５】
１  冷蔵庫
１Ａ  庫体
１０Ａ  壁パネル
１０Ｂ  床パネル
１０Ｃ  天井パネル
１１  表面板
１３  断熱材
３０  屋根材
３１  フレーム（取付部材）
４０Ａ  第１の屋根架台
４０Ｂ  第２の屋根架台
４１Ａ，４１Ｂ  本体
４２  第１のフランジ部
４３  第２のフランジ部
４４  係止片
４５  ナット収容部
４６  係止凸条
５０  固定部材
５２  係止部
６０Ａ  補強部材
６０Ｂ  板状補強部材
７０  固定ボルト
７０Ａ  固定ねじ
８０  屋根固定用ボルト
８１  ナット
【図１】
2019002629.tif 000003
【図２】
2019002629.tif 000004
【図３】
2019002629.tif 000005
【図４】
2019002629.tif 000006
【図５】
2019002629.tif 000007
【図５Ａ】
2019002629.tif 000008
【図６】
2019002629.tif 000009
【図７】
2019002629.tif 000010
【図８】
2019002629.tif 000011
【図９】
2019002629.tif 000012
【図１０】
2019002629.tif 000013